(57)【要約】【課題】車両の故障の有無を運転手に迅速に知らせることができるタクシーメータを提供する。【解決手段】タクシーメータ１の挿入口１４ａにメモリカード３１の挿入が確認されると、ＣＰＵ１１は、出庫前、車載コンピュータ診断装置３２からの故障診断コードの有無を判別する（Ｓ２）。出庫前に故障診断コードが見つかった場合、ＣＰＵ１１は、テーブル１２ａを参照し、故障診断コードに対応する故障内容を表示器１５のメータ画面１５ａに表示する（Ｓ３）。ＣＰＵ１１は、この故障診断コード及びＲＴＣ１９で計時された時刻をメモリカード３１に記録する。出庫前に故障が見つかった場合、メータ画面１５ａには、「故障有り」、「燃料とエアの調整」、「出庫できません」等のメッセージが表示される。ＣＰＵ１１は、タクシー車両の出庫処理を停止する（Ｓ４）。【選択図】図２
2014235598.tif 000002
【特許請求の範囲】
【請求項１】
車両に発生する故障の有無を診断する車載器に接続されたタクシーメータであって、
前記車載器と通信する通信部と、
各種の情報を出力する表示部と、
を備え、
前記表示部は、前記通信部によって受信した前記車両に発生した故障の内容を出力する、
ことを特徴とするタクシーメータ。
【請求項２】
記録媒体が挿抜自在であり、前記記録媒体に対してデータの読み書きが行われる接続部と、
前記通信部に接続され、前記表示部を制御するとともに、前記記録媒体が前記接続部に挿入された場合、前記車両の出庫処理を行う制御部と、
を備え、
前記制御部は、前記通信部によって受信した前記車両に発生した故障の内容、及び前記故障の発生時刻を、前記接続部を介して前記記録媒体に記録する、
ことを特徴とする請求項１記載のタクシーメータ。
【請求項３】
前記制御部は、前記出庫処理が完了していない出庫前、前記通信部によって前記車両に故障があることを受信した場合、前記車両に発生した故障の内容を前記表示部に出力させるとともに、前記車両に発生した故障の内容、及び前記故障の発生時刻を、前記接続部を介して前記記録媒体に記録し、さらに、前記出庫処理に失敗したと判断する、
ことを特徴とする請求項２記載のタクシーメータ。
【請求項４】
前記制御部は、前記出庫処理が完了して出庫した後、前記通信部によって前記車両に故障があることを受信した場合、前記通信部によって受信した前記車両に発生した故障の内容、及び前記故障の発生時刻を、前記接続部を介して前記記録媒体に記録する、
ことを特徴とする請求項２記載のタクシーメータ。
【発明の詳細な説明】
【技術分野】
【０００１】
本発明は、タクシーメータに関する。
【背景技術】
【０００２】
従来、タクシーメータの中には、タクシーメータにメモリカードを挿入することによって出庫処理が完了するものがある。
【０００３】
この種の先行技術として、引用文献１には、乗務員による操作表示器の操作によって出庫処理を行うことが示されている。
【０００４】
また、引用文献２には、タクシーメータを構成する部品の寿命を、タクシーメータが表示することが示されている。
【先行技術文献】
【特許文献】
【０００５】
【特許文献１】特開平０９−７３５６２号公報
【特許文献２】特開平１１−２５２９８号公報
【発明の概要】
【発明が解決しようとする課題】
【０００６】
しかしながら、従来のタクシーメータでは、車両に異常が発生している場合であっても、出庫することができてしまい、運転手は異常に気付くことなく、走行していた。
【０００７】
また、水温や油温の異常、燃料系、エンジン系、速度パルス系の異常は、出庫前には分からないので、出庫後の営業中に自走トラブルを起こしやすい状況にあった。
【０００８】
本発明は、上述した事情に鑑みてなされたものであり、その目的は、車両の故障の有無を運転手に迅速に知らせることができるタクシーメータを提供することにある。
【課題を解決するための手段】
【０００９】
前述した目的を達成するために、本発明に係るタクシーメータは、下記（１）〜（５）を特徴としている。
（１）  車両に発生する故障の有無を診断する車載器に接続されたタクシーメータであって、
前記車載器と通信する通信部と、
各種の情報を出力する表示部と、
を備え、
前記表示部は、前記通信部によって受信した前記車両に発生した故障の内容を出力する、
こと。
（２）  上記（１）の構成のタクシーメータであって、
記録媒体が挿抜自在であり、前記記録媒体に対してデータの読み書きが行われる接続部と、
前記通信部に接続され、前記表示部を制御するとともに、前記記録媒体が前記接続部に挿入された場合、前記車両の出庫処理を行う制御部と、
を備え、
前記制御部は、前記通信部によって受信した前記車両に発生した故障の内容、及び前記故障の発生時刻を、前記接続部を介して前記記録媒体に記録する、
こと。
（３）  上記（２）の構成のタクシーメータであって、
前記制御部は、前記出庫処理が完了していない出庫前、前記通信部によって前記車両に故障があることを受信した場合、前記車両に発生した故障の内容を前記表示部に出力させるとともに、前記車両に発生した故障の内容、及び前記故障の発生時刻を、前記接続部を介して前記記録媒体に記録し、さらに、前記出庫処理に失敗したと判断する、
こと。
（４）  上記（２）の構成のタクシーメータであって、
前記制御部は、前記出庫処理が完了して出庫した後、前記通信部によって前記車両に故障があることを受信した場合、前記通信部によって受信した前記車両に発生した故障の内容、及び前記故障の発生時刻を、前記接続部を介して前記記録媒体に記録する、
こと。
（５）  上記（４）の構成のタクシーメータであって、
前記制御部は、前記車両が実車の状態にある場合、空車の状態になった後、前記車両に発生した故障の内容を前記表示部に出力させる、
こと。
【００１０】
上記（１）から（５）の構成のタクシーメータによれば、タクシーメータの表示部には車両に発生した故障の内容が出力される。
【発明の効果】
【００１１】
本発明のタクシーメータによれば、タクシーメータの表示部には車両に発生した故障の内容が出力されるので、車両の故障の有無を運転手に迅速に知らせることができる。
【００１２】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１３】
【図１】図１は、本発明の実施形態におけるタクシーメータ１の構成を示すブロック図である。
【図２】図２は、タクシーメータ１の外観を示す図である。
【図３】図３は、車載コンピュータ診断装置３２から出力される故障診断コードと故障内容を表すテーブル１２ａの登録情報を示す図である。
【図４】図４は、本発明の実施形態におけるタクシーメータ１による動作処理手順を示すフローチャートである。
【図５】図５（Ａ）及び図５（Ｂ）は、故障が発生したことを報知するメータ画面１５ａを示す図である。
【発明を実施するための形態】
【００１４】
本発明の実施形態におけるタクシーメータについて図面を用いて説明する。本実施形態のタクシーメータは、車載コンピュータ診断装置が搭載されたタクシー車両に用いられる。
【００１５】
図１は、本発明の実施形態におけるタクシーメータ１の構成を示すブロック図である。タクシーメータ１は、ＣＰＵ１１、ＲＯＭ１２、ＲＡＭ１３、カードリーダライタ（Ｒ／Ｗ）インタフェース１４、表示器１５、インタフェース（Ｉ／Ｆ）１６、１７、１８、ＲＴＣ１９および操作部２１を有する。
【００１６】
ＣＰＵ１１（制御部）は、タクシーメータ１の全体を制御する。ＲＯＭ１２には、ＣＰＵ１１が実行する動作プログラム等が格納されている。ＲＡＭ１３は、ワーキングメモリとして使用され、また、後述する故障診断コード及び時間、走行データ等を記録する。
【００１７】
カードリーダＲ／Ｗインタフェース（Ｉ／Ｆ）１４（接続部）には、乗務員によって所持され、データの読み書きが行われるメモリカード３１（記録媒体）が挿抜自在に装着される。このメモリカード３１は、営業データ等の解析を行う事務所側の後方処理装置（データ処理装置）に対しても、挿抜自在に装着可能である。
【００１８】
表示器１５は、ＬＣＤで構成され、タクシー料金（走行料金）や車両に発生した故障の内容等をメータ画面１５ａ（図２参照）に表示する。
【００１９】
インタフェース（Ｉ／Ｆ）１６（通信部）は、車載コンピュータ診断装置３２（車載器）と通信を行い、車載コンピュータ診断装置３２の故障診断コネクタから出力される故障診断コードを入力する。本実施形態では、車載コンピュータ診断装置として、ＯＢＤ（On-Board-Diagnostics）ＩＩシステムが用いられる。車載コンピュータ診断装置３２は、予め登録された診断プログラムを実行するＥＣＵ（Electronic Control Unit）等によって構成され、車両の各部に設置された各種センサからの信号をもとに、車両に発生する各種の故障の有無を診断し、この診断結果を故障診断コードとして出力する。この故障診断コードの詳細については後述する。
【００２０】
Ｉ／Ｆ１７には、タクシー車両の現在位置を取得するＧＰＳ受信器３４が接続される。Ｉ／Ｆ１８には、ＥＴＣ車載器３５が接続される。また、ＣＰＵ１１内部の入力ポートには、車速センサ３６によって検出された車両の速度を表す速度信号が入力される。また、操作部２１に設けられた各種ボタンの押下によって変更されるタリフ状態が入力される。
【００２１】
ＲＴＣ（時計ＩＣ）１９は現在時刻を計時する。ＲＴＣ１９によって計時される時刻は、車両の運転状態を表す走行データとともにＲＡＭ１３に記録される。
【００２２】
図２はタクシーメータ１の外観を示す図である。タクシーメータ１の筐体前面には、表示器１５のメータ画面１５ａが配置されている。メータ画面１５ａの周囲には、空車ボタン２１ａ、賃走ボタン２１ｂ等の各種ボタンが操作部２１として配置されている。また、メータ画面１５ａの下方には、メモリカード３１が挿抜自在に装着されるカードＲ／Ｗインタフェース１４の挿入口１４ａが設置されている。
【００２３】
図３は車載コンピュータ診断装置３２から出力される故障診断コードと故障内容を表すテーブル１２ａの登録情報を示す図である。このテーブル１２ａはＲＯＭ１２に格納されている。故障診断コードは、車両のどの部分に故障があるかを示すものであり、５桁の英数字で構成される。例えば、故障診断コードが「Ｐ０１ＸＸ」である場合、故障内容は「燃料および空気の計量」である。また、故障診断コードが「Ｐ０２ＸＸ」である場合、故障内容は「燃料とエアの調整」である。
【００２４】
上記構成を有するタクシーメータ１の動作を示す。図４は、本発明の実施形態におけるタクシーメータ１による動作処理手順を示すフローチャートである。この動作プログラムは、ＲＯＭ１２に格納されており、ＣＰＵ１１によって実行される。
【００２５】
ＣＰＵ１１は、まず、出庫時にメモリカード３１がタクシーメータ１の挿入口１４ａに挿入されたことを確認する（ステップＳ１）。メモリカード３１の挿入が確認されると、ＣＰＵ１１は、出庫前、車載コンピュータ診断装置３２から故障診断コードの有無を判別する（ステップＳ２）。
【００２６】
出庫前に故障診断コードが見つかった場合、ＣＰＵ１１は、テーブル１２ａを参照し、故障診断コードに対応する故障内容を表示器１５のメータ画面１５ａに表示する（ステップＳ３）。さらに、ステップ３において、ＣＰＵ１１は、この故障診断コード及びＲＴＣ１９で計時された時刻をメモリカード３１及びＲＡＭ１３に記録する。このとき、車両の登録番号（例えば車体番号）も同時に記録される。
【００２７】
図５（Ａ）及び図５（Ｂ）は故障が発生したことを報知するメータ画面１５ａを示す図である。出庫前に故障が見つかった場合、例えば図５（Ａ）に示すように、メータ画面１５ａには、「故障有り」、「イグニッション・システムまたはミスファイア」、「出庫できません」等のメッセージが表示される。
【００２８】
そして、ＣＰＵ１１は、タクシー車両の出庫処理を停止し（ステップＳ４）、本動作を終了する。このように、出庫前に故障が見つかった場合、ＣＰＵ１１は出庫に失敗したと判断する。
【００２９】
一方、ステップＳ２で、出庫前に故障診断コードが見つからなかった場合、ＣＰＵ１１は、出庫処理を正常に行う（ステップＳ５）。出庫処理では、タクシー車両の走行データ（営業データ）の記録が開始される。
【００３０】
ＣＰＵ１１は、出庫後、車載コンピュータ診断装置３２からの故障診断コードの有無を判別する（ステップＳ６）。故障診断コードが無い場合、ＣＰＵ１１はステップＳ６の処理を繰り返す。
【００３１】
一方、ステップＳ６で故障診断コードが有った場合、ＣＰＵ１１はタクシーメータ１が実車の状態であるか否かを判別する（ステップＳ７）。実車の状態でない、つまり空車の状態である場合、ＣＰＵ１１は、ステップＳ３と同様、故障診断コードに対応する故障内容を表示器１５のメータ画面１５ａに表示し、さらに、この故障診断コード及びＲＴＣ１９で計時された時刻をメモリカード３１及びＲＡＭ１３に記録する（ステップＳ１１）。この後、ＣＰＵ１１は本動作を終了する。
【００３２】
一方、ステップＳ７で実車の状態である場合、ＣＰＵ１１は、故障診断コード及びＲＴＣ１９で計時された時刻をメモリカード３１及びＲＡＭ１３に記録する（ステップＳ８）。なお、ステップＳ８、Ｓ１１の処理では、車両の登録番号も同時に記録されるようにしてもよい。ＣＰＵ１１は、空車ボタン２１ａが押下されるまで待つ（ステップＳ９）。
【００３３】
空車ボタン２１ａが押下されると、ＣＰＵ１１は、表示器１５のメータ画面１５ａに故障内容を表示する（ステップＳ１０）。この後、ＣＰＵ１１は本動作を終了する。
【００３４】
ステップＳ１０、Ｓ１１の表示処理では、図５（Ｂ）に示すように、メータ画面１５ａには、「空車」の他、「故障有り」、「燃料とエアの調整」、「入庫してください」のメッセージが表示される。
【００３５】
本実施形態のタクシーメータ１によれば、メータ画面１５ａに故障の有無が表示されるので、車両の故障の有無を迅速に運転手に知らせることができる。これにより、出庫前に故障が見つかった場合、車両が故障した状態で走行してしまうことを防止できる。さらに、故障内容が具体的に表示されるので、運転手は故障の状態をおおまかに把握することができる。
【００３６】
また、出庫後に故障が見つかった場合でも、できる限り迅速に故障内容を運転手に知らせることができる。空車の状態で故障が見つかった場合には、速やかに故障内容を運転手に知らせることができ、また、実車の状態で故障が見つかった場合でも、乗客が降車し、空車ボタンが押下されてから故障内容が表示されるので、乗客に必要以上の不安を与えるおそれを回避できる。
【００３７】
特に、水温や油温の異常、燃料系、エンジン系、速度パルス系の異常は、出庫前には分からないので、出庫後に故障内容が運転手に報知されることで、営業中の自走トラブルを未然に防ぐことができる。
【００３８】
このように、車両トラブルを事前に把握することで、乗客に迷惑をかけてしまうリスクを低減できる。また、メモリカードには、出庫前、出庫中のいずれにおいても、車両ごとの故障診断コードが記録されるので、整備や修理の際に、この情報を役立てることができる。さらに、故障の発生時刻も併せて記録されるので、より正確な情報が得られる。
【００３９】
なお、本発明は、上記実施形態の構成に限られるものではなく、本実施形態の構成が持つ機能を達成できる構成であればどのようなものであっても適用可能である。
【００４０】
例えば、出庫前に故障が見つかり、出庫に失敗したと判断された場合、本実施形態では、出庫処理を停止していたが、その他、通信モジュールを介して事務所側の後方処理装置に通知するようにしてもよい。また、出庫中に故障が発生した場合も、同様に事務所側の後方処理装置に通知するようにしてもよい。これにより、事務所側から運転手への指示が可能となり、安全対策に繋がる。
【００４１】
また、上記実施形態では、実車中に故障が発生しても、運転手にすぐさま故障内容が報知されないが、故障内容が重大であると判断される場合には、メータ画面に故障内容を表示するようにしてもよい。これにより、緊急時の安全対策に繋がる。
【００４２】
本発明は、タクシーメータにおいて、車両の故障の有無を運転手に迅速に知らせることができ、有用である。
【００４３】
ここで、上述した本発明に係るタクシーメータの実施形態の特徴をそれぞれ以下［１］〜［５］に簡潔に纏めて列記する。
［１］
車両に発生する故障の有無を診断する車載コンピュータ診断装置（３２）に接続されたタクシーメータ（１）であって、
前記車載コンピュータ診断装置（３２）と通信するインタフェース（１６）と、
各種の情報を出力する表示器（１５）と、
を備え、
前記表示器（１５）は、前記インタフェース（１６）によって受信した前記車両に発生した故障の内容を出力する、
ことを特徴とするタクシーメータ（１）。
［２］
メモリカード（３１）が挿抜自在であり、前記メモリカード（３１）に対してデータの読み書きが行われるカードＲ／Ｗインタフェース（１４）と、
前記インタフェース（１６）に接続され、前記表示器（１５）を制御するとともに、前記メモリカード（３１）が前記カードＲ／Ｗインタフェース（１４）に挿入された場合、前記車両の出庫処理を行うＣＰＵ（１１）と、
を備え、
前記ＣＰＵ（１１）は、前記インタフェース（１６）によって受信した前記車両に発生した故障の内容、及び前記故障の発生時刻を、前記カードＲ／Ｗインタフェース（１４）を介して前記メモリカード（３１）に記録する、
ことを特徴とする［１］に記載のタクシーメータ（１）。
［３］
前記ＣＰＵ（１１）は、前記出庫処理が完了していない出庫前、前記インタフェース（１６）によって前記車両に故障があることを受信した場合、前記車両に発生した故障の内容を前記表示器（１５）に出力させるとともに、前記車両に発生した故障の内容、及び前記故障の発生時刻を、前記カードＲ／Ｗインタフェース（１４）を介して前記メモリカード（３１）に記録し、さらに、前記出庫処理に失敗したと判断する、
ことを特徴とする［２］に記載のタクシーメータ（１）。
［４］
前記ＣＰＵ（１１）は、前記出庫処理が完了して出庫した後、前記インタフェース（１６）によって前記車両に故障があることを受信した場合、前記インタフェース（１６）によって受信した前記車両に発生した故障の内容、及び前記故障の発生時刻を、前記カードＲ／Ｗインタフェース（１４）を介して前記メモリカード（３１）に記録する、
ことを特徴とする［２］に記載のタクシーメータ（１）。
［５］
前記ＣＰＵ（１１）は、前記車両が実車の状態にある場合、空車の状態になった後、前記車両に発生した故障の内容を前記表示器（１５）に出力させる、
ことを特徴とする［４］に記載のタクシーメータ（１）。
【符号の説明】
【００４４】
１  タクシーメータ
１１  ＣＰＵ
１２  ＲＯＭ
１２ａ  テーブル
１３  ＲＡＭ
１４  カードＲ／Ｗインタフェース（Ｉ／Ｆ）
１４ａ  挿入口
１５  表示器
１５ａ  メータ画面
１６、１７、１８  インタフェース（Ｉ／Ｆ）
１９  ＲＴＣ
２１  操作部
２１ａ  実車ボタン
２１ｂ  空車ボタン
３１  メモリカード
３２  車載コンピュータ診断装置
３４  ＧＰＳ受信器
３５  ＥＴＣ車載器
３６  車速センサ
【図１】
2014235598.tif 000003
【図２】
2014235598.tif 000004
【図３】
2014235598.tif 000005
【図４】
2014235598.tif 000006
【図５】
2014235598.tif 000007